(57)【要約】【課題】改善された電極構造を有するプラズマディスプレイパネルを提供する。【解決手段】前面基板と、それと対向して配置された背面基板と、前面基板及び背面基板と共に放電セルの範囲を限定する誘電体壁と、それに埋め込まれ、放電セルの対向する放電コーナー部をそれぞれ取り囲むように配置され、所定角度で傾斜するように形成された第１及び第２放電電極を備えた放電電極と、放電セルの内側に塗布された赤、緑、青色の蛍光体層と、を備えるプラズマディスプレイパネルであって、放電電極が放電セルを中心に対角線方向に所定角度で傾斜するように形成されているので、維持放電時に、イオンの移動経路によりイオンが蛍光体層に衝突して、蛍光体層が劣化する現象を最小化できる。これにより、パネルの寿命が改善される。【選択図】図２
2006073515.tif 000002
【特許請求の範囲】
【請求項１】
前面基板と、
前記前面基板と対向して配置された背面基板と、
前記前面基板と背面基板との間に配置され、前記前面基板及び背面基板と共に放電セルの範囲を限定する誘電体壁と、
前記誘電体壁内に埋め込まれ、放電セルの対向する放電コーナー部をそれぞれ取り囲むように配置され、所定角度で傾斜するように形成された第１及び第２放電電極を備えた放電電極と、
前記放電セル内に塗布された赤、緑、青色の蛍光体層と、
を備えることを特徴とする改善された電極構造を有するプラズマディスプレイパネル。
【請求項２】
前記第１放電電極は、隣接して配置された放電セルの一方向に沿って延び、前記第２放電電極は、第１放電電極が配置された放電セルの対向する辺から、前記第１放電電極と平行した方向に沿って延びたことを特徴とする請求項１に記載の改善された電極構造を有するプラズマディスプレイパネル。
【請求項３】
前記第１及び第２放電電極は、下記の式を満足することを特徴とする請求項２に記載の改善された電極構造を有するプラズマディスプレイパネル。
５゜＜α＜４０゜
ここで、αは、背面基板に垂直の任意の仮想線βと第１または第２放電電極がなす角である。
【請求項４】
前記第１及び第２放電電極は、放電セルを中心に互いに対向する方向に傾斜するように配置されたことを特徴とする請求項２に記載の改善された電極構造を有するプラズマディスプレイパネル。
【請求項５】
前記第１放電電極は、
ストリップ型の第１放電電極ラインと、
前記第１放電電極ラインから前記第２放電電極が配置された方向に突出されて、第１放電電極ラインと共に放電セルの第１放電コーナー部を取り囲む第１突出部とを備えることを特徴とする請求項２に記載の改善された電極構造を有するプラズマディスプレイパネル。
【請求項６】
前記第２放電電極は、
ストリップ型の第２放電電極ラインと、
前記第２放電電極ラインから第１放電電極が配置された方向に突出されて、第２放電電極ラインと共に放電セルの第２放電コーナー部を取り囲む第２突出部とを備えることを特徴とする請求項２に記載の改善された電極構造を有するプラズマディスプレイパネル。
【請求項７】
前記第１及び第２放電電極は、放電セルの対向する両辺から交互に配置された櫛状であることを特徴とする請求項２に記載の改善された電極構造を有するプラズマディスプレイパネル。
【請求項８】
前記第１及び第２放電電極は、対向放電を起すＸ及びＹ電極であり、
前記背面基板上には、第２放電電極とアドレシング放電を起すアドレス電極がさらに設置されたことを特徴とする請求項１に記載の改善された電極構造を有するプラズマディスプレイパネル。
【請求項９】
前記第１及び第２放電電極は、同一な平面上に配置されたことを特徴とする請求項１に記載の改善された電極構造を有するプラズマディスプレイパネル。
【請求項１０】
前記誘電体壁と背面基板との間には、前記誘電体壁と対応する形状の隔壁がさらに設置され、
前記蛍光体層は、前記隔壁の内側に塗布されたことを特徴とする請求項１に記載の改善された電極構造を有するプラズマディスプレイパネル。
【請求項１１】
前記誘電体壁の内側表面には、２次電子放出を増加させるために、保護膜層がさらに形成されたことを特徴とする請求項１に記載の改善された電極構造を有するプラズマディスプレイパネル。
【請求項１２】
前記誘電体壁は、傾斜した第１及び第２放電電極と同一な角度で傾斜した面を提供することを特徴とする請求項１に記載の改善された電極構造を有するプラズマディスプレイパネル。
【発明の詳細な説明】
【技術分野】
【０００１】
本発明は、プラズマディスプレイパネル（ＰＤＰ）に係り、特に、放電セルの対角線方向に放電を起すように配置された放電電極の構造が改善されたＰＤＰに関する。
【背景技術】
【０００２】
通常、ＰＤＰとは、複数の放電電極が形成された二つの基板の間に放電ガスを注入して放電させ、これにより発生する紫外線により、蛍光体層の蛍光物質を励起させて、所望の数字、文字またはグラフィックを表示する平板表示装置を指す。
【０００３】
従来の３電極の面放電型ＰＤＰは、前面基板と、前面基板の内表面に配置された放電維持電極対と、放電維持電極対を埋め込む前面誘電体層と、前面誘電体層の表面にコーティングされた保護膜層と、前面基板と対向して配置された背面基板と、背面基板の表面に形成されたアドレス電極と、アドレス電極を埋め込む背面誘電体層と、前面基板と背面基板との間に設置された隔壁と、隔壁の内側に形成された赤、緑、青色の蛍光体層と、を備えている。
【０００４】
放電維持電極対は、Ｘ電極及びＸ電極と対向して配置されたＹ電極を備えており、Ｘ電極は、第１透明電極ライン及び第１透明電極ラインと電気的に連結された第１バス電極ラインからなり、Ｙ電極は、第２透明電極ライン及び第２透明電極ラインと電気的に連結された第２バス電極ラインからなる。
【０００５】
このような構造を有する従来のＰＤＰは、Ｙ電極とアドレス電極とにそれぞれ電気的信号を印加して交差する地点の放電セルを選択した後、Ｘ及びＹ電極に交互に電気的信号を印加して、前面基板の表面から面放電が起きて紫外線が発生すれば、選択された放電セル内にコーティングされた赤、緑、青色の蛍光体層から可視光が放出されて、静止画像または動画を表示できる。
【０００６】
特許文献１には、開口率を高めるための電極構造を開示しており、特許文献２には、前面基板に位置した放電維持電極の数を減らすことによって、開口率を高めることを開示しており、特許文献３には、開口率を高めて高輝度を実現する構造を開示している。
【０００７】
しかし、従来のＰＤＰは、次のような問題点がある。
【０００８】
第１に、ＩＴＯ（Ｉｎｄｉｕｍ Ｔｉｎ Ｏｘｉｄｅ）膜のような透明な導電膜からなる第１及び第２透明電極ラインの導電性を向上させ、ライン抵抗を減らすために、導電性にすぐれる金属材である第１及び第２バス電極がそれぞれ電気的に連結されている。
【０００９】
第１及び第２バス電極は、電気的特性にすぐれる一方、不透明な金属材からなるので、放電セル内に配置時に、前面基板の開口率を低下させる。これにより、ＰＤＰの輝度を低下させ、放電効率を低下させる。
【００１０】
第２に、前記前面基板の内表面には、放電維持電極対だけでなく、前面誘電体層と保護膜層とが順次に形成されているので、放電セル内で発生した可視光線に対する透過率が６０％にも達しない。したがって、平板表示装置の性能を低下させる。
【００１１】
第３に、ＰＤＰを長時間駆動する場合には、放電が蛍光体層に向かって拡散されるので、放電ガスの荷電粒子が電界により蛍光体層にイオンスパッタリングを起すことによって、永久残像を引き起こす。
【００１２】
第４に、放電は、Ｘ電極とＹ電極との間の放電ギャップから開始され、Ｘ及びＹ電極の端部に拡散されるが、放電が前面基板の平面に沿って拡散されるので、放電セル全体の空間活用度が低い。
【００１３】
第５に、放電セル内に体積で１０％以上の高濃度Ｘｅガスを含んだ放電ガスを注入すれば、原子のイオン化及び励起反応により、荷電粒子と励起種との生成が増加して、輝度及び放電効率が向上するが、高濃度Ｘｅガスを適用するため、初期放電開始電圧が高くなるという短所がある。
【特許文献１】特開２００２−２１６６３６号公報
【特許文献２】特開１９９９−２６５６６１号公報
【特許文献３】特開１９９６−１３８５５８号公報
【発明の開示】
【発明が解決しようとする課題】
【００１４】
本発明の目的は、前記のような問題点を解決するためのものであって、放電セルの周囲に沿って複数の放電電極が対向して配置されて、放電セルの開口率を向上させた改善された電極構造を有するＰＤＰを提供するところにある。
【００１５】
本発明の他の目的は、複数の放電電極が放電セルの対角線方向の放電コーナー部をそれぞれ取り囲むように所定角度で傾斜するように配置されて、維持放電時に放電フラックスによる蛍光体層の損傷を最小化した改善された電極構造を有するＰＤＰを提供するところにある。
【課題を解決するための手段】
【００１６】
前記のような目的を達成するために、本発明の一側面による改善された電極構造を有するＰＤＰは、前面基板、前記前面基板と対向して配置された背面基板、前記前面基板と背面基板との間に配置され、前記前面及び背面基板と共に放電セルの範囲を限定する誘電体壁、前記誘電体壁内に埋め込まれ、放電セルの対向する放電コーナー部をそれぞれ取り囲むように配置され、所定角度で傾斜するように形成された第１及び第２放電電極を備えた放電電極、及び前記放電セル内に塗布された赤、緑、青色の蛍光体層を備えることを特徴とする。
【００１７】
また、前記第１放電電極は、隣接して配置された放電セルの一方向に沿って延び、前記第２放電電極は、第１放電電極が配置された放電セルの対向する辺から、前記第１放電電極と平行した方向に沿って延びたことを特徴とする。
【００１８】
さらに、前記第１及び第２放電電極は、下記の式を満足することを特徴とする。５゜＜α＜４０゜
ここで、αは、背面基板に垂直の任意の仮想線βと第１または第２放電電極がなす角である。
【００１９】
また、前記第１及び第２放電電極は、放電セルを中心に互いに対向する方向に傾斜するように配置されたことを特徴とする。
【００２０】
さらに、前記第１及び第２放電電極は、放電セルの対向する両辺から交互に配置された櫛状であることを特徴とする。
【００２１】
また、前記第１及び第２放電電極は、同一な平面上に配置されたことを特徴とする。
【００２２】
さらに、前記誘電体壁と背面基板との間には、前記誘電体壁と対応する形状の隔壁がさらに設置され、前記蛍光体層は、前記隔壁の内側に塗布されたことを特徴とする。
【発明の効果】
【００２３】
本発明の改善された電極構造を有するＰＤＰは、次のような効果を得ることができる。
【００２４】
第１に、不透明な導電材からなる放電電極が放電セルの内部ではなく、放電セルの周囲に沿って位置するので、可視光線が透過する前面基板の開口率に影響を及ぼさない。したがって、パネルの輝度が非常に向上する。
【００２５】
第２に、可視光線が透過する前面基板の内側に放電電極や、それを埋め込む誘電体層や保護膜層が形成されないことにより、開口率が非常に向上する。
【００２６】
第３に、放電セルの側面に沿って放電が起きるようにするので、放電面が大きく拡大される。
【００２７】
第４に、放電は、放電セルの放電コーナー部から発生して、放電セルの中央に拡散されるので、放電効率が上昇し、維持放電時に、イオン粒子の経路が蛍光体層の水平方向に形成されるので、蛍光体層のイオンスパッタリングを防止して寿命を向上させることができる。
【００２８】
第５に、放電電極が放電セルを中心に対角線方向に、所定角度で傾斜するように形成されているので、維持放電時にイオンの移動経路により、イオンが蛍光体層に衝突して蛍光体層が劣化する現象を最小化できる。これにより、パネルの寿命が改善される。
【発明を実施するための最良の形態】
【００２９】
以下で添付された図面を参照しつつ、本発明の一実施形態によるＰＤＰを詳細に説明する。
【００３０】
図１は、通常的なＰＤＰ １００を示す図面である。
【００３１】
図１に示すように、前記ＰＤＰ １００は、前面パネル１１０と背面パネル１６０とを備えている。
【００３２】
前記前面パネル１１０には、前面基板１１１、前記前面基板１１１の内表面に形成されたＸ及びＹ電極１１２、１１３、前記Ｘ及びＹ電極１１２、１１３を埋め込む前面誘電体層１１４、及び前記前面誘電体層１１４の表面にコーティングされた保護膜層１１５を備えている。前記Ｘ電極１１２は、第１透明電極１１２ａ、及び前記第１透明電極１１２ａと電気的に連結された第１バス電極１１２ｂからなり、前記Ｙ電極１１３は、第２透明電極１１３ａ、及び前記第２透明電極１１３ａと電気的に連結された第２バス電極１１３ｂからなる。
【００３３】
前記背面パネル１６０には、前記前面基板１１１と対向して配置された背面基板１６１、前記背面基板１６１の表面に形成されたアドレス電極１６２、及び前記アドレス電極１６２を埋め込む背面誘電体層１６３を備えている。前記アドレス電極１６２は、前記Ｘ及びＹ電極１１２、１１３と交差する方向に配置されている。
【００３４】
前記前面パネル１１０と背面パネル１６０との間には、放電セルの範囲を限定し、各放電セル間のクロストークを防止するための隔壁１６４が形成されている。また、前記隔壁１６４の内側には、各放電セルごとに赤、緑、青色の蛍光体層１６５が形成されている。
【００３５】
前記のような構造を有するＰＤＰ １００を駆動するためには、Ｙ電極１１３とアドレス電極１６２とにそれぞれ電気的信号を印加して、交差する地点の放電セルを選択した後、Ｘ及びＹ電極１１２、１１３に交互に電気的信号を印加して、前面基板１１１の表面から面放電が起きて紫外線が発生すれば、選択された放電セル内にコーティングされた赤、緑、青色の蛍光体層１６５から可視光が放出されて、静止画像または動画を表示できる。
【００３６】
図２は、本発明の一実施形態によるＰＤＰ ２００を一部切除して示す図面である。
【００３７】
図２に示すように、前記ＰＤＰ ２００は、前面基板２１０、及び前記前面基板２１０と平行に配置された背面基板２２０を備える。前記前面及び背面基板２１０、２２０の対向する面の縁部には、フリットガラスが塗布されているので、それらを相互封着して内部空間を密閉させる。
【００３８】
前記前面基板２１０は、透明な基板、例えばソーダライムガラスが望ましい。前記背面基板２２０も、実質的に前記前面基板２１０と同一な素材からなる。
【００３９】
前記前面基板２１０と背面基板２２０との間には、それらと共に放電セルの範囲を限定する誘電体壁２３０が介在されている。前記誘電体壁２３０は、ガラスペーストに各種フィラーを添加してなされている。
【００４０】
前記誘電体壁２３０は、パネル２００のＸ方向に配置された第１誘電体壁２３１、及びＹ方向に配置された第２誘電体壁２３２を備えており、隣接する一対の第１誘電体壁２３１の内側から対向する方向に、第２誘電体壁２３２が一体に延びている。このような第１及び第２誘電体壁２３１、２３２は、マトリックス型をなし、その結果、放電セルは、ほぼ四角形状となる。
【００４１】
代案としては、前記誘電体壁２３０は、メアンダー型や、デルタ型や、ハニカム型など多様な形状の実施形態が存在する。また、誘電体壁２３０により範囲を限定された放電セルは、四角形以外にも他の多角形や、円形など放電セルの範囲を限定できる構造であれば良く、いずれか一つの放電セル構造に限定されるものではない。
【００４２】
前記誘電体壁２３０と背面基板２２０との間には、隔壁２４０がさらに形成されうる。前記隔壁２４０は、前記誘電体壁２３０とは異なり、低誘電性の素材からなる。前記隔壁２４０は、前記誘電体壁２３０と対応する部分で、これと実質的に同一な形状に形成されている。
【００４３】
前記隔壁２４０は、前記第１誘電体壁２３１と平行に配置された第１隔壁２４１、及び前記第２誘電体壁２３２と平行に配置された第２隔壁２４２を備えている。前記第１及び第２隔壁２４１、２４２は、相互一体に結合されて、マトリックス型をなしている。
【００４４】
前記誘電体壁２３０のみが前面基板２１０と背面基板２２０との間に形成される場合には、単一壁が放電セルの範囲を限定する構造であり、誘電体壁２３０と隔壁２４０とがいずれも前面基板２１０と背面基板２２０との間に形成される場合には、誘電性が異なる素材からなる二重壁が放電セルの範囲を限定する構造となる。
【００４５】
前記誘電体壁２３０の内部には、第１放電電極２５０及び第２放電電極２６０が埋め込まれている。前記第１及び第２放電電極２５０、２６０は、放電セルの内部ではなく、放電セルの周囲に沿って配置されている。前記第１及び第２放電電極２５０、２６０は、互いに電気的に絶縁されており、相異なる強度の電圧が印加される。
【００４６】
前記誘電体壁２３０の内表面には、放電セルの内側の４つの側面壁に沿って、前面基板２１０の内部で生成されたイオンが表面との相互作用により２次電子を放出可能にする、酸化マグネシウム（ＭｇＯ）のような素材からなる保護膜層２７０が形成されている。前記保護膜層２７０は、各放電セル別に蒸着されている。
【００４７】
前記背面基板２２０の上面には、前記第１及び第２放電電極２５０、２６０と交差する方向に、アドレス電極２８０が配置されている。前記アドレス電極２８０は、放電セル内に位置している。前記アドレス電極２８０は、背面誘電体層２９０により埋め込まれている。
【００４８】
前記ＰＤＰ ２００は、面放電であるか、または対向放電であるかにより、第１及び第２放電電極２５０、２６０のみが配置された構造や、第１及び第２放電電極２５０、２６０とアドレス電極２８０とが配置された構造を具備でき、また、それぞれの電極が単一電極または複数電極に配置されることもある。
【００４９】
本実施形態では、前記第１及び第２放電電極２５０、２６０は、維持放電を起す電極であって、第１放電電極２５０は、放電維持電極であるＸ電極に該当し、第２放電電極２６０は、走査電極であるＹ電極に該当し、Ｙ電極とアドレシング放電を起すアドレス電極２８０が設置されている構造である。また、前記アドレス電極２８０は、第１及び第２放電電極２５０、２６０と同一な誘電体壁２３０内に配置されることもある。
【００５０】
一方、前記前面及び背面基板２１０、２２０、誘電体壁２３０、隔壁２４０の範囲に限定された放電セル内には、Ｎｅ−Ｘｅや、Ｈｅ−Ｘｅのような放電ガスが注入されている。
【００５１】
また、放電セル内には、放電ガスから発生した紫外線により励起されて、可視光線を放出する赤、緑、青色の蛍光体層３１０が形成されている。この際、前記蛍光体層３１０は、放電セルのいかなる領域にもコーティングされうるが、本実施形態では、隔壁２４０の内側壁と、背面誘電体層２９０の上面とに所定厚さでコーティングされている。
【００５２】
前記赤、緑、青色の蛍光体層３１０は、それぞれの放電セル別にコーティングされている。赤色の蛍光体層は、（Ｙ，Ｇｄ）ＢＯ３：Ｅｕ＋３からなり、緑色の蛍光体層は、Ｚｎ２ＳｉＯ４：Ｍｎ２＋からなり、青色の蛍光体層は、ＢａＭｇＡｌ１０Ｏ１７：Ｅｕ２＋からなることが望ましい。
【００５３】
ここで、前記第１放電電極２５０及び第２放電電極２６０は、放電セルの対角線方向の放電コーナー部に沿って、それを取り囲むように配置され、前記第１放電電極２５０及び第２放電電極２６０は、放電セルを中心に互いに対向する方向に、所定角度で傾斜している。
【００５４】
さらに詳細に説明すれば、次の通りである。
【００５５】
図３は、図２の電極を示す平面図であり、図４は、図３の電極を示す斜視図である。
【００５６】
図３及び図４に示すように、前記ＰＤＰ ２００には、パネルのＸ方向に配置された第１誘電体壁２３１、及び隣接した一対の第１誘電体壁２３１から対向する方向に延び、パネルのＹ方向に配置された第２誘電体壁２３２を備えている。前記第１及び第２誘電体壁２３１、２３２により範囲を限定された放電セル３２０は、四角形状をなしている。前記放電セル３２０は、パネルのＸ及びＹ方向に沿って所定間隔が離隔されるように、連続的に配置されている。
【００５７】
前記誘電体壁２３０内には、第１放電電極２５０が埋め込まれている。前記第１放電電極２５０は、放電セル３２０の第１放電コーナー部３２１を取り囲むように配置されている。また、前記誘電体壁２３０内には、第２放電電極２６０が埋め込まれている。前記第２放電電極２６０は、第１放電コーナー部３２１と対角線方向の第２放電コーナー部３２２とを取り囲むように配置されている。前記第１及び第２放電電極２５０、２６０は、同一な平面上に配置されている。一方、前記放電セル３２０内には、アドレス電極２８０が、パネルのＹ方向に配置された隣接する放電セル３２０の中央を横切って延びている。
【００５８】
前記第１放電電極２５０は、隣接して配置された放電セル３２０のＸ方向に沿って延びている第１放電電極ライン２５１を備えている。前記第１放電電極ライン２５１は、ストリップ型である。前記第１放電電極ライン２５１は、第１誘電体壁２３１ごとに一つずつ配置されている。
【００５９】
前記第１放電電極ライン２５１には、放電セル３２０のＹ方向に沿って、第１突出部２５２が一体に連結されている。前記第１突出部２５２の長さは、前記放電セル３２０のＹ方向の辺と対応するものである。前記第１突出部２５２は、第２誘電体壁２３２ごとに一つずつ配置されている。
【００６０】
このように、前記第１放電電極２５０は、前記第１放電電極ライン２５１と、これから一体に突出された第１突出部２５２との結合により、放電セル３２０の第１放電コーナー部３２１を取り囲む構造である。また、前記第１放電電極ライン２５１と第１突出部２５２との結合された形状は、櫛状をなしている。
【００６１】
前記第２放電電極２６０は、前記第１放電電極２５０が配置された放電セル３２０の対向する辺から、前記第１放電電極ライン２５１と平行した方向に沿って延びた第２放電電極ライン２６１を備えている。
【００６２】
前記第２放電電極ライン２６１は、放電セル３２０別に維持放電を起す第１放電電極ライン２５１と一対ずつ配置されており、前記第１放電電極ライン２５１が配置された放電セル３２０の反対側の辺に位置している。
【００６３】
前記第２放電電極ライン２６１は、ストリップ型である。前記第２放電電極ライン２６１は、第１誘電体壁２３１ごとに一つずつ配置されている。
【００６４】
前記第２放電電極ライン２６１には、放電セル３２０のＹ方向に沿って、第２突出部２６２が一体に連結されている。前記第２突出部２６２の長さは、放電セル３２０のＹ方向の辺と対応するものである。前記第２突出部２６２は、第２誘電体壁２３２ごとに少なくとも一つ以上配置されている。
【００６５】
このように、前記第２放電電極２６０は、前記第２放電電極ライン２６１と、これから一体に延びた第２突出部２６２との結合により、放電セル３２０の第２放電コーナー部３２２を取り囲む構造である。
【００６６】
前記第２放電コーナー部３２２は、第１放電電極２５０が取り囲んでいる第１放電コーナー部３２１と対角線に対向する部分である。また、前記第２放電電極ライン２６１と第２突出部２６２との結合された形状は、櫛状をなしている。この際、前記第１及び第２突出部２５２、２６２は、放電セル３２０の対向する両辺から交互に配置されている。
【００６７】
代案としては、前記第１放電電極２５０が、放電セル３２０の一辺の両放電コーナー部を取り囲むように配置され、前記第２放電電極２６０が、放電セル３２０の他の辺の両放電コーナー部を取り囲むように配置されることもあるなど、放電セル３２０の対角線方向に放電が発生できる構造であれば良く、いずれか一つに限定されるものではない。
【００６８】
前記アドレス電極２８０は、ストリップ型である。前記アドレス電極２８０は、第２放電電極ライン２６１と交差する方向であり、放電セル３２０のＹ方向に沿って配置されている。このようなアドレス電極２８０は、Ｙ方向に沿って隣接して配置された放電セル３２０の中央を横切って延びている。
【００６９】
本実施形態では、前記アドレス電極２８０は、背面基板２２０（図２参照）上に配置されているが、前記第２放電電極２６０と交差する方向であれば、誘電体壁２３０内に埋め込まれうるなど、いずれか一つに限定されるものではない。
【００７０】
一方、前記第１放電電極２５０及び第２放電電極２６０は、放電セル３２０の内部に配置されるものではなく、放電セル３２０の周囲に沿って配置されているので、基板の開口率と関連がない。したがって、第１及び第２放電電極２５０、２６０は、導電性にすぐれる銀ペーストや、Ｃｒ−Ｃｕ−Ｃｒのような導電材を利用して製造できる。
【００７１】
図５は、図２のＰＤＰ ２００をＩ−Ｉ線に沿ってカットして示す図面である。
【００７２】
図５に示すように、前記第１放電電極２５０は、隣接して配置された放電セル３２０の一方向に沿って延び、前記第２放電電極２６０は、第１放電電極２５０が配置された放電セル３２０の対向する辺から、前記第１放電電極２５０と平行した方向に沿って延びている。この際、前記第１及び第２放電電極２５０、２６０は、放電セル３２０の対向する方向に、所定角度で傾斜するように配置されている。
【００７３】
前記第１及び第２放電電極２５０、２６０の傾度は、下記の式を満足する。
５゜＜α＜４０゜
【００７４】
この際、背面基板２２０に垂直の任意の仮想線をβとしたとき、αは、背面基板２２０に垂直の任意の仮想線βと、第１または第２放電電極２５０、２６０の傾斜面とがなす角である。
【００７５】
αが５゜より小さい場合には、第１または第２放電電極２５０、２６０の傾度が小さくて、放電時のイオンの移動経路により赤、緑、青色の蛍光体層３１０の損傷が憂慮され、αが４０゜より大きい場合には、相異なる放電セル３２０に関与するが、同一な第１または第２誘電体壁２３１、２３２内に配置されている第１及び第２放電電極２５０、２６０の干渉が発生する可能性が大きい。
【００７６】
一方、前記誘電体壁２３０は、第１及び第２放電電極２５０、２６０の傾斜面と同一な角度で傾斜して、傾斜面を提供している。これにより、前記誘電体壁２３０の表面には、保護膜層２７０が傾斜するように蒸着されている。
【００７７】
代案としては、前記第１及び第２放電電極２５０、２６０は、放電セル３２０の内側に対向する面が互いに傾斜するように配置された構造であれば、ストリップ以外の他の形状も可能である。
【００７８】
以上、本出願人の実験による経時的な輝度の維持率は、表１の通りである。
【００７９】
【表１】
2006073515.tif 000003
【００８０】
表１は、初期値輝度を１００％としたときの５００時間の経過による輝度維持率を示すものである。そして、比較例は、従来の放電電極の傾斜角が０゜であるときであり、実施形態１ないし実施形態３は、本発明による放電電極の傾斜角が１０゜、２０゜、３０゜であるときの輝度維持率を示すものである。
【００８１】
比較例において、全体の輝度維持率は、８７％であり、赤、緑、青色蛍光体層がコーティングされた放電セルの輝度維持率は、それぞれ８６％、８２％、７５％を表した。一方、実施形態１において、全体の輝度維持率は、９０％であり、赤、緑、青色の蛍光体層がコーティングされた放電セルの輝度維持率は、それぞれ８９％、８５％、７９％を表した。実施形態２において、全体の輝度維持率は、９２％であり、赤、緑、青色の蛍光体層がコーティングされた放電セルの輝度維持率は、それぞれ９１％、８７％、８１％を表した。実施形態３において、全体の輝度維持率は、９４％であり、赤、緑、青色の蛍光体層がコーティングされた放電セルの輝度維持率は、それぞれ９４％、９０％、８２％を表した。
【００８２】
このように、放電電極の傾斜角が大きいほど、輝度維持率が上昇することが分かる。これは、維持放電時に関与する第１及び第２放電電極２５０、２６０が傾斜するように形成されているので、イオンの放電流れによる蛍光体層３１０の損傷を最小化するためである。
【００８３】
前記のような構造を有するＰＤＰ ２００の作用を、図３ないし図５を参照して詳細に説明すれば、次の通りである。
【００８４】
まず、外部の電源から、Ｙ電極に該当する第２放電電極２６０とアドレス電極２８０との間に所定のパルス電圧を印加すれば、発光される放電セル３２０が選択される。選択された放電セル３２０の内側には、壁電荷が蓄積される。
【００８５】
次いで、Ｘ電極に該当する第１放電電極２５０に“＋”電圧が印加され、第２放電電極２６０にそれより相対的に高い電圧が印加されれば、第１放電電圧２５０と第２放電電極２６０との間に印加された電圧差により、壁電荷が移動する。
【００８６】
この際、第１放電電極ライン２５１と、これから突出された第１突出部２５２とは、放電セル３２０の第１放電コーナー部３２１を取り囲んでおり、第２放電電極ライン２６１と、これから突出された第２突出部２６２とは、前記第１放電コーナー部３２１と対角線方向の放電セル３２０の第２放電コーナー部３２２とを取り囲んでいる。また、第１放電電極２５０及び第２放電電極２６０は、放電セル３２０を中心に対向する方向に、所定角度で傾斜するように配置されている。
【００８７】
次に、壁電荷の移動により、放電セル３２０内の放電ガス原子と衝突しつつ、プラズマを生成させ、このような放電は、相対的に強い電界が形成される放電セル３２０の第１及び第２放電コーナー部３２１、３２２から始まって、放電セル３２０の中心方向に拡大される。
【００８８】
この際、前記第１放電電極２５０及び第２放電電極２６０は、互いに傾斜するように配置されているので、維持放電時に、放電フラックスにより蛍光体層３１０に衝突して、蛍光体層３１０の損傷を防止する。
【００８９】
このような方式により、放電が形成された後には、第１放電電極２５０と第２放電電極２６０との電圧差が放電電圧より低くなれば、放電は、それ以上発生せず、空間電荷及び壁電荷が放電セル３２０に形成される。この際、第１及び第２放電電極２５０、２６０に印加された電圧の極性を互いに変えれば、壁電荷の助けを受けて放電が再び発生する。このように第１及び第２放電電極２５０、２６０の極性を直ちに変えば、最初の放電過程が反復するようになる。このような過程を反復しつつ、放電が安定的に発生する。
【００９０】
この際、放電により生成された紫外線は、各放電セル３２０に塗布されている蛍光体層３１０の蛍光物質を励起させる。このような過程を通じて、可視光を得る。生成された可視光は、放電セル３２０に放出されて静止画像または動画を表示する。
【００９１】
本発明は、図面に示した実施形態を参考として説明されたが、これは、例示的なものに過ぎず、当業者であれば、これから多様な変形及び均等な他の実施形態が可能であるという点を理解できるであろう。したがって、本発明の真の技術的な保護範囲は、特許請求の範囲の技術的思想により決まらねばならない。
【産業上の利用可能性】
【００９２】
本発明は、ＰＤＰに関連の技術分野に適用可能である。
【図面の簡単な説明】
【００９３】
【図１】ＰＤＰを示す分離斜視図である。
【図２】本発明の一実施形態によるＰＤＰを一部切除して示す分離斜視図である。
【図３】図２の放電電極の配置を示す平面図である。
【図４】図２の放電電極を示す分離斜視図である。
【図５】図２のパネルが結合された状態でＩ−Ｉ線に沿ってカットして示す断面図である。
【符号の説明】
【００９４】
２００  ＰＤＰ
２１０  前面基板
２２０  背面基板
２３０  誘電体壁
２３１  第１誘電体壁
２３２  第２誘電体壁
２４０  隔壁
２４１  第１隔壁
２４２  第２隔壁
２５０  第１放電電極
２６０  第２放電電極
２７０  保護膜層
２８０  アドレス電極
２９０  背面誘電体層
３１０  蛍光体層
【図１】
2006073515.tif 000004
【図２】
2006073515.tif 000005
【図３】
2006073515.tif 000006
【図４】
2006073515.tif 000007
【図５】
2006073515.tif 000008